(57)【要約】      （修正有）【課題】戻し輸送時の効率性を改善するとともに、蓋体の取付けに金属製のヒンジを必要としないようにした折畳み式の箱を提供する。【解決手段】両側板１５がそれぞれ内側へ折畳み可能なように、その幅方向の中央部に縦方向の折込み線２０を備えるとともに、底板が背面板２５の下端に折曲げ線を介して折曲げ可能に連結され、この底板を背面板２５と重なるように折畳み、次いで両側の側板１５を中央の折曲げ線２０によって内側へ折込むようにし、折畳まれた本体４７を蓋体４８内に収納する。そして本体４７の背面板２５に蓋取付け用ベルト５３を介して蓋体４８を取付けるようにし、この蓋取付け用ベルト５３によってヒンジとしての機能を持たせるようにする。【選択図】図７
0003130656.tif 000002
【実用新案登録請求の範囲】
【請求項１】
直方体状をなし、内部に物品を収納する箱において、
上部が開口になっている本体と、上部開口を閉塞する蓋体とを有し、
本体の互いに対向する両側の側板が内側に折込まれるようになされ、
底板が背面板または前面板の下端に連設され、しかも背面板または前面板と重合うように折込まれ、
上部開口を閉塞する蓋体がその４辺にそれぞ側壁を有し、しかも蓋体の背面側の側壁がベルトを介して背面板と開閉自在に連結され、
両側の側板を内側に折込むとともに、底板を背面板または前面板と重合うように折込んで本体を折畳み、折畳まれた状態の本体を蓋体内に収納するようにしたことを特徴とする箱。
【請求項２】
前記ベルトが背面板の上端の挿通孔および蓋体の側壁の挿通孔を貫通して該ベルトの端部が連結具によって連結されていることを特徴とする請求項１に記載の箱。
【請求項３】
連結具が一対の挿通部を有するバックルから構成され、前記ベルトの両端が重合わされて前記一対の挿通部に挿通されることにより前記ベルトの両端が互いに連結されることを特徴とする請求項２に記載の箱。
【請求項４】
前記本体の背面板および前記蓋体の背面側の側壁にそれぞれ補強板が取付けられ、前記本体の背面板と補強板および前記蓋体の背面側の側壁と補強板を貫通する挿通孔に前記ベルトが挿通されることを特徴とする請求項３に記載の箱。
【請求項５】
中空の合成樹脂製のパネルによって本体および蓋体が組立てられることを特徴とする請求項１に記載の箱。
【考案の詳細な説明】
【技術分野】
【０００１】
本考案は箱に係り、とくに直方体状をなし、内部に物品を収納する箱に関する。
【背景技術】
【０００２】
各種の物品を物流に供するために、従来より箱が用いられる。すなわち各種の物品は、それぞれ専用の包装箱に入れて搬送したり、あるいはまた通い箱のような汎用性を有する箱によって物流に供される。このような箱によって、内部に収納される物品が保護され、物流の安全性を確保できるようになる。
【０００３】
ところが従来の箱は、一般に直方体状の形態を維持している。このような形態は、空の状態でも維持される。従ってとくに通い箱のように、物品を出した後に元の場所に戻す際にも、空の状態でこの箱を運ばなければならず、これによって通い箱の戻し輸送の効率が著しく悪化する問題がある。
【考案の開示】
【考案が解決しようとする課題】
【０００４】
本考案の課題は、戻し輸送時における効率を改善するようにした箱を提供することである。
【０００５】
本考案の別の課題は、戻し輸送時に、偏平に折畳んで搬送するようにした箱を提供することである。
【０００６】
本考案のさらに別の課題は、戻し輸送時に、蓋体を有効に利用し、蓋体で包装して搬送するようにした箱を提供することである。
【０００７】
本考案のさらに別の課題は、繰返し利用される汎用の通い箱において、とくにその戻し輸送の効率を改善するようにした箱を提供することである。
【０００８】
本考案のさらに別の課題は、金属製のヒンジや金具を用いることなくしかも本体に対して蓋体を開閉自在に連結するようにした箱を提供することである。
【０００９】
本考案のさらに別の課題は、柔軟なベルトによって蓋体を本体に開閉自在に連結するようにした箱を提供することである。
【００１０】
本願考案の上記の課題および別の課題は、以下に述べる本願考案の技術的思想およびその実施の形態によって明らかにされる。
【課題を解決するための手段】
【００１１】
本願の主要な考案は、直方体状をなし、内部に物品を収納する箱において、
上部が開口になっている本体と、上部開口を閉塞する蓋体とを有し、
本体の互いに対向する両側の側板が内側に折込まれるようになされ、
底板が背面板または前面板の下端に連設され、しかも背面板または前面板と重合うように折込まれ、
上部開口を閉塞する蓋体がその４辺にそれぞ側壁を有し、しかも蓋体の背面側の側壁がベルトを介して背面板と開閉自在に連結され、
両側の側板を内側に折込むとともに、底板を背面板または前面板と重合うように折込んで本体を折畳み、折畳まれた状態の本体を蓋体内に収納するようにしたことを特徴とする箱に関するものである。
【００１２】
ここで、前記ベルトが背面板の上端の挿通孔および蓋体の側壁の挿通孔を貫通して該ベルトの端部が連結具によって連結されてよい。また連結具が一対の挿通部を有するバックルから構成され、前記ベルトの両端が重合わされて前記一対の挿通部に挿通されることにより前記ベルトの両端が互いに連結されてよい。また前記本体の背面板および前記蓋体の背面側の側壁にそれぞれ補強板が取付けられ、前記本体の背面板と補強板および前記蓋体の背面側の側壁と補強板を貫通する挿通孔に前記ベルトが挿通されてよい。また中空の合成樹脂製のパネルによって本体および蓋体が組立てられてよい。
【考案の効果】
【００１３】
本願の主要な考案は、直方体状をなし、内部に物品を収納する箱において、上部が開口になっている本体と、上部開口を閉塞する蓋体とを有し、本体の互いに対向する両側の側板が内側に折込まれるようになされ、底板が背面板または前面板の下端に連設され、しかも背面板または前面板と重合うように折込まれ、上部開口を閉塞する蓋体がその４辺にそれぞ側壁を有し、しかも蓋体の背面側の側壁がベルトを介して背面板と開閉自在に連結され、両側の側板を内側に折込むとともに、底板を背面板または前面板と重合うように折込んで本体を折畳み、折畳まれた状態の本体を蓋体内に収納するようにしたものである。
【００１４】
従ってこのような箱によると、戻し輸送あるいは保管を行なう際に、両側の側板を内側に折込むとともに、底板を背面板または前面板と重合うように折込んで本体を折畳み、折畳まれた状態の本体を蓋体内に収納することが可能になる。従ってこれにより、戻し輸送の効率が大幅に改善され、あるいはまた保管の効率が改善される。しかも蓋体と本体とが、本体の背面板と蓋体の背面側の側壁とをベルトを介して連結するようにしているために、蝶番等の金属製の金具を必要としなくなる。
【考案を実施するための最良の形態】
【００１５】
以下本願考案を図示の一実施の形態によって説明する。図１は本願考案の一実施の形態に係る箱を組立てるための前面板１１を示しており、長方形の前面板１１の下端側には折曲げ線１２を介して折曲げ片１３が折曲げ可能に連結されている。また前面板１１の上端には折曲げ線６１を介して折曲げ片１４が折曲げ可能に連結されている。
【００１６】
図２はこのような前面板１１の両側に配される両側板１５を示しており、側板１５はやや縦長の長方形の形状をなし、その両側にそれぞれ折曲げ線１６を介して折曲げ片１７を備えている。また側板１５の下端側には折曲げ線１８を介して折曲げ片１９が連設されている。また側板１５のほぼ中央部に折込み線２０が形成されるとともに、この折込み線２０の下端側と一致するように、折曲げ片１９のほぼ中央部には切込み２１が形成されている。
【００１７】
次に上記前面板１１および両側の側板１５と組合わされる背面板２５は図３に示すように、前面板１１とほぼ同じ大きさの長方形の板状体である。そしてこの背面板２５の上端に折曲げ線６２を介して折曲げ片３０が連結されている。またこの背面板２５の下端側には折曲げ線２６を介して底板２７が連設されている。底板２７の下端側には折曲げ線２８を介して折曲げ片２９が連設される。
【００１８】
次に蓋体を組立てる蓋板について説明する。蓋板３２は図４に示すように、長方形の板状体であって、その長辺側にはそれぞれ折曲げ線３３を介して長辺側側壁３４が連設される。これに対して蓋板３２の短辺側には折曲げ線３５を介して短辺側側壁３６が連設される。そして長辺側側壁３４および短辺側側壁３６の下端にはそれぞれ折曲げ線６３、６４を介して折曲げ片３９、４０が連設される。また長辺側側壁３４の両端にはそれぞれ折曲げ線３７を介して折込み片３８が連設されるようになっている。
【００１９】
ここで前面板１１、両側板１５、背面板２５、底板２７、および蓋板３２はともに中空の合成樹脂製のパネルが用いられる。このようなパネルはとくに図５に示すように、例えばポリプロピレン樹脂を特殊な型で押出し成形することによって作られるパネルであって、上下に配される上面板４１と下面板４２とを側壁４３によって連結した構造をなしており、中空部４４が押出し方向に沿って長く延びている。なおこのようなシートは、プラスチックで成形されしかも段ボールに似ていることから、段プラシートと呼ばれている。
【００２０】
次に本体４７の組立てについて、図６および図７によって説明する。前面板１１、両側板１５、背面板２５、および底板２７によって直方体状をなす本体４７を組立てる。ここで両側板１５は前面板１１および背面板２５と両側の折曲げ片１７によって接合される。また背面板２５と折曲げ可能に連結された底板２７は、その前端側の折曲げ片２９が前面板１１の折曲げ片１３と重合うようになっており、さらに底板２７の両側部がそれぞれ側板１５の下端側の折曲げ片１９によって受けられるようになっている。
【００２１】
そして本体４７の上部開口の縁の部分には図７に示すように、前面板１１の上端の折曲げ片１４と背面板２５の上端の折曲げ片３０とがそれぞれ内側に折返されるようになっている。また両側板１５の外側にはそれぞれベルト５２が取付けられるようになっている。両側のベルト５２の先端側の部分は連結具５６を介して互いに連結されるようになっている。これによって組立てられた状態で、側板１５が平板状をなす状態を維持するようにしており、このために本体４７は直方体状の箱としての形態を維持する。
【００２２】
次にこのような本体４７と組合わされる蓋体４８は、図４に示すように打抜かれた蓋板３２によって組立てられる。すなわち長辺側側壁３４の両端の折込み片３８を予め直角に折曲げて短辺側側壁３６の内側に折込まれるようにする。このような状態で長辺側側壁３４を蓋板３２に対して直角に折曲げる。そしてこの後に短辺側側壁３６を蓋板３２に対して直角に折曲げる。そしてさらに、長辺側側壁３４の下端の折曲げ片３９を内側へ折込む。さらに短辺側側壁３６の下端の折曲げ片４０を内側へ折曲げる。これによってほぼトレー状をなす蓋体４８が組立てられる（図７参照）。
【００２３】
このような蓋体４８は、本体４７の背面板２５と蓋取付け用ベルト５３を介して互いに連結される。背面板２５の上端部であってその内側の左右にそれぞれ補強板５７が接合される。また蓋体４８の長辺側側壁３４の内側にはそれぞれ補強板５７が取付けられる。そしてこれらの本体４７側の背面板２５、折曲げ片３０、補強板５７、および蓋体４８側の長辺側側壁３４、補強板５７を貫通するように蓋取付け用ベルト５３が取付けられ、このような蓋取付け用ベルト５３によって蓋体４８が本体４７の背面板２５の上端に開閉自在に取付けられる。
【００２４】
図１１〜図１３はこのような蓋取付け用ベルト５３による蓋体４８の取付け構造を詳細に示したものであって、背面板２５の内側の上端の折曲げ片３０上には、左右一対の補強板５７が接合される。そしてこれらの補強板５７にはそれぞれ挿通孔５８が形成される。また蓋体４８についても、その長辺側側壁３４の内側の折曲げ片３９上に補強板５７が取付けられる。そして本体４７側の背面板２５と折曲げ片３０と補強板５７とを挿通するように挿通孔５８が形成される。また蓋体４８側の長辺側側壁３４、折曲げ片３９、補強板５７を挿通するように挿通孔５８が形成される。これらの挿通孔５８を挿通するように蓋取付け用ベルト５３が挿通される。そして蓋取付け用ベルト５３は、とくに図１３に示すように、バックル５９によってその両端が引揃えた状態で連結される。
【００２５】
バックル５９は合成樹脂の成形体であって、一対の挿通部６０を備え、これらの挿通部６０に蓋取付け用ベルト５３の両端を揃えて重合わせて挿通させるようにしている。従って蓋取付け用ベルト５３がループ状になり、このループ状の部分で本体４７の背面板２５と蓋体４８の長辺側側壁３４とが互いに開閉自在に連結されるようになる。従ってこのようなバックル５９によって両端が連結される蓋取付け用ベルト５３によって、本体４７の背面板２５の上端に、蓋板３２が回動自在に取付けられるようになり、このような蓋板３２によって本体４７の上部開口を開閉自在に閉じることになる。
【００２６】
次にこのような箱の折畳み動作について説明する。この箱を戻し輸送する場合や、あるいは保管しておく場合には、図８〜図１０に示すように折畳む。この折畳み動作は、背面板２５と折曲げ線２６を介して折曲げ可能に連結されている底板２７を図８に示すように、背面板２５の内側に重合うように折返す。この動作は、本体４７内において単に底板２７の先端部を持上げて回動させることにより行なわれる。そしてこの状態において、両側の側板１５をそれらのほぼ中央部にそれぞれ形成されている折込み線２０によって内側へ折込む。すると側板１５が前面板１１と背面板２５との間でそれぞれ両側から折込まれた状態になり、これによって図９に示すように、本体４７が偏平に折畳まれる。そしてこのような本体４７を、蓋取付け用ベルト５３を介して連結されている蓋体４８の内側に収納する。すなわち蓋体４８の蓋板３２の４辺には長辺側側壁３４、短辺側側壁３６がそれぞれ連設されているために、このような長方形のトレー状をなす蓋体４８内に、折畳まれた本体４７を図１０に示すように収納することができる。
【００２７】
このように使用時においては図６あるいは図７に示すように直方体状の形態をなし、内部に各種の物品を収納して物流に供することができる。しかも不使用時においては、図９および図１０に示すように、本体４７を偏平に折畳み、蓋体４８内に収納して輸送あるいは保管を行なうことができる。従って不使用時あるいは戻し輸送時の効率が大幅に改善される。またこのような折畳み式の箱は、蓋取付け用ベルト５３によって、本体４７の背面板２５に回動自在に蓋体４８が取付けられているために、その開閉動作が非常に円滑に行なわれるとともに、金属製の蝶番のような部材を必要としなくなる。
【００２８】
以上本願考案を図示の実施の形態によって説明したが、本願考案は上記実施の形態によって限定されることなく、本願考案の技術的思想の範囲内において各種の変更が可能である。例えば上記実施の形態における箱の縦横比や高さ比、あるいは具体的な寸法等については各種の変更が可能である。
【産業上の利用可能性】
【００２９】
本願考案は、汎用性のある通い箱として利用することができる。
【図面の簡単な説明】
【００３０】
【図１】本体の前面板の正面図である。
【図２】本体の側板の正面図である。
【図３】底板を連結した背面板の正面図である。
【図４】蓋体の展開平面図である。
【図５】本体および蓋体を組立てるための合成樹脂製パネルの拡大断面図である。
【図６】組立てられた箱の外観斜視図である。
【図７】蓋を開いた状態の箱の斜視図である。
【図８】折畳み動作を示す箱の斜視図である。
【図９】折畳み動作を完了した状態の箱の斜視図である。
【図１０】折畳まれた本体を蓋体内に収納した状態の斜視図である。
【図１１】蓋取付け用ベルトによる蓋の取付け構造を示す要部斜視図である。
【図１２】同要部拡大縦断面図である。
【図１３】蓋取付け用ベルトによる連結状態およびバックルの斜視図である。
【符号の説明】
【００３１】
１１  前面板
１２  折曲げ線
１３、１４  折曲げ片
１５  側板
１６  折曲げ線
１７  折曲げ片
１８  折曲げ線
１９  折曲げ片
２０  折込み線
２１  切込み
２５  背面板
２６  折曲げ線
２７  底板
２８  折曲げ線
２９、３０  折曲げ片
３２  蓋板
３３  折曲げ線
３４  長辺側側壁
３５  折曲げ線
３６  短辺側側壁
３７  折曲げ線
３８  折込み片
３９、４０  折曲げ片
４１  上面板
４２  下面板
４３  側壁
４４  中空部
４７  本体
４８  蓋体
５２  ベルト
５３  蓋取付け用ベルト
５６  連結具
５７  補強板
５８  挿通孔
５９  バックル
６０  挿通部
６１〜６４  折曲げ線
【図１】
0003130656.tif 000003
【図２】
0003130656.tif 000004
【図３】
0003130656.tif 000005
【図４】
0003130656.tif 000006
【図５】
0003130656.tif 000007
【図６】
0003130656.tif 000008
【図７】
0003130656.tif 000009
【図８】
0003130656.tif 000010
【図９】
0003130656.tif 000011
【図１０】
0003130656.tif 000012
【図１１】
0003130656.tif 000013
【図１２】
0003130656.tif 000014
【図１３】
0003130656.tif 000015